(57)【要約】【課題】ユーザが利用する端末と所定の情報を提供する情報提供装置が連携することで、パーソナライズされた情報の提供を行うことが可能な技術を提供すること。【解決手段】所定の情報を提供する情報提供装置と、ユーザにより利用されるユーザ端末とを含む情報提供システムであって、ユーザ端末は、ユーザ端末を利用するユーザに関する属性情報を、情報提供装置に通知する通知部、を有し、情報提供装置は、ユーザ端末から通知された属性情報に応じた所定の情報を、情報提供装置から又はユーザ端末に出力する出力部、を有する情報提供システムを提供する。【選択図】図４
2018169930.tif 000002
【特許請求の範囲】
【請求項１】
所定の情報を提供する情報提供装置と、ユーザにより利用されるユーザ端末とを含む情報提供システムであって、
前記ユーザ端末は、
前記ユーザ端末を利用するユーザに関する属性情報を、前記情報提供装置に通知する通知部、を有し、
前記情報提供装置は、
前記ユーザ端末から通知された前記属性情報に応じた所定の情報を、前記情報提供装置から又は前記ユーザ端末に出力する出力部、を有する、
情報提供システム。
【請求項２】
前記属性情報は、ユーザに関する複数の属性情報を含み、
前記出力部は、前記属性情報に含まれる複数の属性情報から、該複数の属性情報以外の属性情報を推定し、推定した属性情報に応じた所定の情報を出力する、
請求項１に記載の情報提供システム。
【請求項３】
前記通知部は、前記所定の情報の通知を受けたユーザの反応を示す情報を前記情報提供装置に通知し、
前記出力部は、前記ユーザ端末から通知されたユーザの反応を学習し、前記ユーザ端末から通知された前記属性情報に応じた所定の情報を出力する際に、学習したユーザの反応に応じた所定の情報を出力する、
請求項１又は２に記載の情報提供システム。
【請求項４】
前記通知部は、前記属性情報を、自然言語を用いて前記情報提供装置に通知し、
前記出力部は、前記所定の情報を、自然言語を用いて前記ユーザ端末に通知する、
請求項１から３のいずれか一項に記載の情報提供システム。
【請求項５】
所定の情報を提供する情報提供装置と、ユーザにより利用されるユーザ端末とを含む情報提供システムが行う情報提供方法であって、
前記ユーザ端末が、前記ユーザ端末を利用するユーザに関する属性情報を、前記情報提供装置に通知するステップと、
前記情報提供装置が、前記ユーザ端末から通知された前記属性情報に応じた所定の情報を、前記情報提供装置から又は前記ユーザ端末に出力するステップと、
を有する、情報提供方法。
【発明の詳細な説明】
【技術分野】
【０００１】
本発明は、情報提供システム及び情報提供方法に関する。
【背景技術】
【０００２】
現在、スマートフォンのように、ユーザが常時携帯することが可能であり、かつ、インターネットを介して様々な情報を送受信可能な端末が広く利用されている。また、これらの端末には、例えばユーザの位置情報の履歴や、ユーザのスケジュールなど、ユーザの属性に関する様々な情報が記憶されている。
【先行技術文献】
【特許文献】
【０００３】
【特許文献１】特開２０１６−２０１０３２号広報
【発明の概要】
【発明が解決しようとする課題】
【０００４】
上述の通り、現在、スマートフォンのようにユーザが使用する端末には、ユーザの属性に関する様々な情報が保存されている。従って、所定の情報を提供する情報処理装置を提供する場合に、ユーザの属性に関する情報を用いることで、よりユーザにパーソナライズされた情報の提供が可能になると考えられる。
【０００５】
そこで、本発明は、ユーザが利用する端末と所定の情報を提供する情報提供装置が連携することで、パーソナライズされた情報の提供を行うことが可能な技術を提供することを目的とする。
【課題を解決するための手段】
【０００６】
本発明の一態様に係る情報提供システムは、所定の情報を提供する情報提供装置と、ユーザにより利用されるユーザ端末とを含む情報提供システムであって、ユーザ端末は、
ユーザ端末を利用するユーザに関する属性情報を、情報提供装置に通知する通知部、を有し、情報提供装置は、ユーザ端末から通知された属性情報に応じた所定の情報を、情報提供装置から又はユーザ端末に出力する出力部、を有する。
【０００７】
本発明の一態様に係る情報提供方法は、所定の情報を提供する情報提供装置と、ユーザにより利用されるユーザ端末とを含む情報提供システムが行う情報提供方法であって、ユーザ端末が、ユーザ端末を利用するユーザに関する属性情報を、情報提供装置に通知するステップと、情報提供装置が、ユーザ端末から通知された属性情報に応じた所定の情報を、情報提供装置から又はユーザ端末に出力するステップと、を有する。
【発明の効果】
【０００８】
本発明によれば、ユーザが利用する端末と所定の情報を提供する情報提供装置が連携することで、パーソナライズされた情報の提供を行うことが可能な技術を提供することができる。
【図面の簡単な説明】
【０００９】
【図１】本実施形態に係る情報提供システムのシステム構成の一例を示す図である。
【図２】本実施形態に係るＩｏＴ装置の機能ブロック構成の一例を示す図である。
【図３】本実施形態に係るユーザ端末の機能ブロック構成の一例を示す図である。
【図４】本実施形態に係る情報提供システムが行う動作概要の一例を示すシーケンス図である。
【図５】動作例その１を説明するための図である。
【図６】動作例その２を説明するための図である。
【発明を実施するための形態】
【００１０】
添付図面を参照して、本発明の好適な実施形態について説明する。なお、各図において、同一の符号を付したものは、同一又は同様の構成を有する。
【００１１】
＜システム構成＞
図１は、本実施形態に係る情報提供システムのシステム構成の一例を示す図である。本実施形態に係る情報提供システムは、ＩｏＴ（Internet of Things）装置１０及びユーザ端末２０を含む。ＩｏＴ装置１０及びユーザ端末２０は、通信ネットワークＮを介して相互に通信可能なように接続されている。図１にはＩｏＴ装置１０及びユーザ端末２０がそれぞれ１つずつ図示されているが、それぞれ２以上のＩｏＴ装置１０及びユーザ端末２０が含まれていてもよい。
【００１２】
通信ネットワークＮには、例えば、３Ｇ、ＬＴＥ（Long Term Evolution）又は５Ｇと呼ばれる移動無線通信技術が用いられてもよいし、無線ＬＡＮ又はＢｌｕｅｔｏｏｔｈ（登録商標）等の無線通信技術が用いられてもよい。或いは、無線及び有線通信が組み合わされていてもよい。
【００１３】
ＩｏＴ装置１０は、所定の情報を提供する情報処理装置である。ＩｏＴ装置１０は、情報提供装置と呼ばれてもよい。このようなＩｏＴ装置１０の一例として、例えば、店舗内に設置され、その店舗に訪れた顧客に対してお勧め商品に関する情報等（レコメンド情報等）を提供する装置や、博物館等に設置され、その博物館等に訪れた顧客に対して展示物に関する情報等を提供する装置等が挙げられる。これらの情報の例はあくまで一例であり、本実施形態において、ＩｏＴ装置１０が提供する所定の情報とは、どのような情報であってもよい
本実施形態において、ＩｏＴ装置１０は、通信可能な機能を備えたあらゆる装置を含むが、例えば、任意の情報を表示することが可能なスマートウィンドウを備えた装置であってもよい。スマートウィンドウは、例えば、透過型ディスプレイ、窓又はガラスとフィルムとプロジェクターとが組み合わされたディスプレイ、超高精細（例えばＵＨＤ（Ultra High Definition））なディスプレイ、透過型ではないディスプレイ等により構成されていてもよい。透過型ディスプレイとは、光を直接透過するものに限らず、例えば、ディスプレイの裏側にカメラが設置されており、カメラの撮影映像をディスプレイに映し出すことで透過しているように見せかけるようなディスプレイであってもよい。このようなスマートウィンドウが、例えば、列車の窓、航空機の窓、船の窓、車の窓、バスの窓、水族館のガラス、ショップの窓、ショーケース、博物館のガラス、美術館のガラス、民家の窓、展望施設の窓、ビルの窓など、あらゆる窓及びガラスに組み込まれることで、本実施形態に係るＩｏＴ装置１０を構成するようにしてもよい。
【００１４】
ユーザ端末２０は、ユーザが利用する端末であり、ユーザ端末２０を利用するユーザに関する属性情報を取得してＩｏＴ装置１０に通知する機能を有している。ユーザ端末２０は、例えば、スマートフォン、タブレット端末、ノート型ＰＣ（Personal Computer）等のように、ユーザが携帯可能な携帯型端末である。
【００１５】
ユーザに関する属性情報とは、ユーザの属性に関する情報であり、例えば、ユーザの基本的な属性、ユーザの行動を示す属性、ユーザの家族関係を示す属性、ユーザの交友関係を示す属性、ユーザの嗜好を示す属性、ユーザの生体に関する属性などが挙げられる。ユーザの基本的な属性とは、例えば、ユーザの氏名、性別、年齢、血液型、職業、勤務先会社、出身国、使用言語、出身国のタイムゾーン等である。ユーザの行動を示す属性とは、例えば、移動ログ（位置情報の履歴）、行動スケジュール（いつ、どこで、何をしていたか／何をする予定か、今何をしているか）、購買履歴（どこで何を買ったか）、Ｗｅｂサイトのアクセスログ、Ｗｅｂサイトの検索ログ等である。ユーザの家族関係を示す属性とは、例えば、家族に関する情報（親や子供の氏名、年齢等）等である。ユーザの交友関係を示す属性とは、例えば、友人構成に関する情報、仕事上の交友関係を示す情報等である。ユーザの嗜好を示す属性とは、例えば、食べ物に関する嗜好（好きな食べ物、苦手な食べ物）、色に関する嗜好、衣類に関する嗜好（好きなコートの種別、スカートよりもジーンズが好み等）、趣味等である。ユーザの生体に関する属性とは、例えば、ユーザの姿勢、平均的な消費カロリー、活動量、睡眠状況、心拍数、血圧、脈拍数等である。ユーザ端末２０は、これらの属性情報を、自身のメモリ等から取得して、又は、ユーザ端末２０と通信可能なサーバ等から取得してＩｏＴ装置１０に通知する。
【００１６】
本実施形態では、ＩｏＴ装置１０及びユーザ端末２０が連携することで、ユーザにパーソナライズされつつ、ユーザのＴＰＯ（Time Position Occasion）等に応じた情報の提供を行うことを可能にする。
【００１７】
なお、ＴＰＯとは、時、場所及び場合に応じた使い分けを意味する用語である。ユーザが移動中である場合のＴＰＯの例としては、観光中である、仕事中である、新婚旅行中である、家族旅行中である、一人旅をしている、帰省中である、買い物中である、送迎中である、通勤中である、ドライブ中である、法事である、婚前旅行である、合宿中である、卒業旅行である、放浪中である、社員旅行中である、修学旅行中である、遠足中である等が挙げられる。また、ユーザが室内にいる場合のＴＰＯの例としては、起床した、就寝した、帰宅した、リラックスしている、傷心している、爽快である、軒昂である、ラブラブである、家事をしている、団らん中である、喧騒である、うつらうつらしている、せわしい状況である、ボーっとしている、病気で寝ている、無気力である、運動中である、学習中である、ストレッチしている、読書中である、何かに夢中である、楽器を演奏している、料理をしている、洗濯をしている、音楽を聴いている、パソコンやスマホを操作している、ゲームをしている、ＴＶを見ている、電話中である、会話中である、模様替えした、入浴中である、来客中である、宴会中である、食事中である、うきうきしている、活き活きしている、ハイテンションである、落ち込んでいる、体調不良である、元気一杯である、絶好調である、仕事中である、育児中である、かくれんぼ中である、鬼ごっこ中である等が挙げられる。また、ユーザが水族館、動物園、博物館、美術館、展望施設等にいる場合のＴＰＯの例としては、ユーザが誰と一緒にいるのか（一人、子供と一緒、大人と一緒、男性と一緒、女性と一緒、家族連れ等）、施設内のどこにいるのか、ユーザが何をしているのか（何に興味を示しているのか、何を見ているのか等）といったことが挙げられる。ユーザがショップの窓にいる場合のＴＰＯの例としては、ユーザがショップの窓に近づきつつあるのか、ユーザが誰と一緒にいるのか、何を買おうとしているのか（特価品、本日のお勧め等）といったことが挙げられる。これらのＴＰＯの例についても、ユーザに関する属性情報に含まれていてもよい。
【００１８】
＜機能ブロック構成＞
図２は、本実施形態に係るＩｏＴ装置１０の機能ブロック構成の一例を示す図である。本実施形態に係るＩｏＴ装置１０は、通信部１０１と、情報出力部１０２と、ＵＩ（User Interface）部１０３とを有する。通信部１０１と、情報出力部１０２と、ＵＩ部１０３とは、ＩｏＴ装置１０においてメモリに記憶されているプログラムをプロセッサが実行することにより実現される。当該プログラムは、非一時的（non-transitory）なコンピュータ読み取り可能な記憶媒体に格納することができる。ＩｏＴ装置１０は、１つの情報処理装置から構成されていてもよいし、複数の情報処理装置から構成されていてもよい。複数の情報処理装置から構成される場合、複数の情報処理装置が連携して動作することでこれらの機能ブロックが行う機能を実現するようにしてもよい。
【００１９】
通信部１０１は、通信ネットワークＮを介してユーザ端末２０と相互に通信を行う機能を有する。
【００２０】
情報出力部１０２は、ユーザ端末２０から通知された、ユーザ端末２０を利用するユーザに関する属性情報に応じた所定の情報を、ＩｏＴ装置１０が備える画面若しくはスピーカから出力する機能、又はユーザ端末２０に出力する機能を有する。
【００２１】
ここで、情報出力部１０２が、ユーザの属性情報に応じて所定の情報を出力する際の具体例を説明する。ＩｏＴ装置１０が衣類店の窓ガラスに設置されたスマートウィンドウであり、ユーザが、ＩｏＴ装置１０に衣類のお勧め商品を問い合わせた場合を想定する。情報出力部１０２は、ＩｏＴ装置１０にて管理している商品ごとの在庫状況と、現時点の季節における売れ筋商品のランキングと、ユーザの嗜好とを照らし合わせることで、在庫があり、かつユーザの嗜好に一致する商品の中で、最も上位のランキングである売れ筋商品の商品名や価格等を出力するといった動作を行う。
【００２２】
情報出力部１０２は、ユーザ端末２０から通知された、ユーザに関する複数の属性情報から、当該複数の属性情報以外の属性情報を推定するようにしてもよい。例えば、情報出力部１０２は、ユーザの属性情報として、ユーザの使用言語を示す情報、及び、ユーザ端末２０に設定されているタイムゾーンを示す情報を受信し、これらの２つの情報に基づいてユーザの出身国を推定し、推定したユーザの出身国に応じた所定の情報（例えばユーザの出身国において人気の商品に関する情報等）を出力するようにしてもよい。
【００２３】
情報出力部１０２は、機械学習機能を備えていてもよい。例えば、情報出力部１０２は、所定の情報の通知を受けたユーザの反応を示す情報をユーザ端末２０から取得することで、所定の情報の通知を受けたユーザの反応を学習し、ユーザ端末２０から通知された属性情報に応じた所定の情報を出力する際に、当該学習したユーザの反応に応じた所定の情報を出力するようにしてもよい。機械学習に用いられるアルゴリズムはどのようなものであってもよいが、例えば深層学習（Deep Learning）が用いられてもよい。
【００２４】
また、情報出力部１０２は、更に、自然言語処理部１０２１を有する。自然言語処理部１０２１は、自然言語を認識する機能を有する。より具体的には、自然言語処理部１０２１は、ＩｏＴ装置１０に入力された自然言語を用いた文章（又はＩｏＴ装置１０に入力された音声を音声認識することで生成された文章）を形態素に分析する機能、形態素に分解された文章を解釈することで意図を理解する機能、理解した意図に基づき自然文を用いた応答文（又は音声による応答文）を生成する機能等を含む。応答文の生成は、例えば予め多数の会話シナリオを用意しておき、入力された文章に対応する会話シナリオを呼び出すことで実現することができる。なお、自然言語処理部１０２１は、ユーザ端末２０とＩｏＴ装置１０とが、専用の通信プロトコルではなく自然言語を用いて通信を行う場合や、ＩｏＴ装置１０とユーザとの間で直接会話を行う際に用いられる機能部であり、本実施形態においては省略することも可能である。
【００２５】
ＵＩ部１０３は、ＩｏＴ装置１０が備える画面に各種の情報を表示する機能、スピーカから音を出力する機能、ＩｏＴ装置１０備えるタッチパネル及びマイク等からユーザの入力を受け付ける機能を有する。
【００２６】
図３は、本実施形態に係るユーザ端末２０の機能ブロック構成の一例を示す図である。本実施形態に係るユーザ端末２０は、通信部２０１と、通知部２０２と、ＵＩ部２０３とを有する。通信部２０１と、通知部２０２と、ＵＩ部２０３とは、ユーザ端末２０においてメモリに記憶されているプログラムをプロセッサが実行することにより実現される。当該プログラムは、非一時的（non-transitory）なコンピュータ読み取り可能な記憶媒体に格納することができる。
【００２７】
通信部２０１は、通信ネットワークＮを介してＩｏＴ装置１０と相互に通信を行う機能を有する。
【００２８】
通知部２０２は、ユーザ端末２０を利用するユーザに関する属性情報を、ＩｏＴ装置１０に通知する機能を有する。また、通知部２０２は、ユーザに関する属性情報を取得する属性情報取得部２０２１を含む。
【００２９】
属性情報取得部２０２１は、ユーザに関する属性情報を、ユーザ端末２０が備えるメモリ等から取得してもよいし、ユーザ端末２０と通信可能なサーバ等にアクセスすることで、ユーザに関する属性情報を、当該サーバから取得してもよい。例えば、属性情報取得部２０２１は、例えばスマートフォン等のユーザ端末２０にインストールされているＳＮＳ（ソーシャルネットワーキングサービス）アプリケーションにアクセスすることで、ユーザ自身の基本的な属性（氏名、年齢、住所、出身校等）を取得するようにしてもよいし、ユーザ端末２０が備えるＧＰＳ等を用いてユーザの移動ログを取得するようにしてもよい。また、属性情報取得部２０２１は、ユーザが身に着けているウェアラブルデバイスから、ユーザの生体情報に関する属性（姿勢、消費カロリー、活動量、睡眠状況、心拍数、血圧、脈拍数等）を取得するようにしてもよい。
【００３０】
自然言語処理部２０２２は、自然言語を認識する機能を有する。より具体的には、自然言語処理部２０２２は、ユーザ端末２０に入力された自然言語を用いた文章（又はユーザ端末２０に入力された音声を音声認識することで生成された文章）を形態素に分析する機能、形態素に分解された文章を解釈することで意図を理解する機能、理解した意図に基づき自然文を用いた応答文（又は音声による応答文）を生成する機能等を含む。応答文の生成は、例えば予め多数の会話シナリオを用意しておき、入力された文章に対応する会話シナリオを呼び出すことで実現することができる。なお、自然言語処理部２０２２は、ユーザ端末２０とＩｏＴ装置１０とが、専用の通信プロトコルではなく自然言語を用いて通信を行う場合や、ユーザ端末２０とユーザとの間で直接会話を行う際に用いられる機能部であり、本実施形態においては省略することも可能である。
【００３１】
＜動作概要及び動作例＞
続いて、本実施形態に係る情報提供システムが行う動作の概要及び具体的な動作例について説明する。まず、動作の概要について説明する。
【００３２】
（動作概要）
図４は、本実施形態に係る情報提供システムが行う動作概要の一例を示すシーケンス図である。
【００３３】
まず、ＩｏＴ装置１０の通信部１０１及びユーザ端末２０の通信部２０１の間で通信を確立する（Ｓ１０１）。例えば、ユーザ端末２０の通信部２０１は、ユーザ端末２０の現在位置の近くに存在するＩｏＴ装置１０を検索し、近くに存在するＩｏＴ装置１０が検出された場合に、検出されたＩｏＴ装置１０との間で通信を確立するようにしてもよい。複数のＩｏＴ装置１０が検索された場合、ユーザ端末２０の通信部２０１は、通信を確立するＩｏＴ装置１０の選択をユーザに促すようにしてもよい。
【００３４】
ユーザ端末２０の現在位置の近くに存在するＩｏＴ装置１０の検出はどのように行われてもよいが、例えば、ＩｏＴ装置１０の通信部２０１からビーコンを送信しておき、ユーザ端末２０は、ビーコンをサーチすることで自身の近くに存在するＩｏＴ装置１０を検索するようにしてもよい。又は、ＩｏＴ装置１０が設置されている場所（緯度、経度等）を示すデータベースを予め外部サーバ等に用意しておき、ユーザ端末２０は、当該データベースにアクセスすることで、自身の現在位置から所定の範囲（例えば半径３０ｍ以内等）に存在するＩｏＴ装置１０を検索するようにしてもよい。
【００３５】
また、ユーザ端末２０の通信部２０１は、属性情報取得部２０２１で取得されたユーザの属性情報に基づいて、複数のＩｏＴ装置１０の中から通信を確立するＩｏＴ装置１０を選択するようにしてもよい。例えば、ユーザのスケジューラーに、これから家電量販店Ａに行くという予定が登録されている場合、ユーザ端末２０の通信部２０１は、家電量販店Ａに設置されているＩｏＴ装置１０との間で通信を確立するようにしてもよい。また、ユーザのスケジューラーに、これから自動車で外出するとの予定が登録されている場合、ユーザ端末２０の通信部２０１は、自動車の中に設置されているＩｏＴ装置１０（例えば、運転席の窓に組み込まれており、運転席の窓にお勧めの日帰り旅行先を表示するＩｏＴ装置１０等）との間で通信を確立するようにしてもよい。ユーザ端末２０の通信部２０１は、通信を確立する際に、ＩｏＴ装置１０に対して、ユーザを一意に特定する識別子（ユーザＩＤ等）を送信するようにしてもよい。ＩｏＴ装置１０は、所定の情報を提供する対象のユーザを一意に識別することができる。
【００３６】
続いて、ユーザ端末２０の通知部２０２は、ＩｏＴ装置１０に対して、所定の情報の出力を要求することを示すメッセージを送信する（Ｓ１０２）。なお、ＩｏＴ装置１０のＵＩ部１０３は、ユーザから直接、所定の情報の出力を要求するとの指示を受け付けるようにしてもよい。
【００３７】
ＩｏＴ装置１０の情報出力部１０２は、ステップＳ１０１の処理手順が完了した後、出力可能な所定の情報のカテゴリ（例えば、酒店Ａで扱っているワインに関する情報を出力可能である等）を示す情報を、ＩｏＴ装置１０のディスプレイ等に表示又はユーザ端末２０に通知するようにしてもよい。これにより、ユーザは、ユーザ自身が所望の情報をＩｏＴ装置１０が出力可能である場合に限って、所定の情報の出力をＩｏＴ装置１０に要求することが可能になる。
【００３８】
また、ＩｏＴ装置１０が出力可能な所定の情報のカテゴリが複数存在する場合、ユーザ端末２０のＵＩ部２０３は、出力を希望する所定の情報のカテゴリをユーザから受付けて、受け付けたカテゴリを、所定の情報の出力を要求することを示すメッセージに含めてＩｏＴ装置１０に送信するようにしてもよい。若しくは、ＩｏＴ装置１０のＵＩ部１０３は、ユーザから直接、出力を希望する所定の情報のカテゴリに関する指示を受け付けるようにしてもよい。
【００３９】
続いて、ＩｏＴ装置１０の情報出力部１０２は、ＩｏＴ装置１０に対して、ユーザの属性情報を要求するメッセージを送信する（Ｓ１０３）。ユーザの属性情報を要求するメッセージには、ＩｏＴ装置１０が要求する属性の内容を示す情報（例えば、ユーザの年齢、性別等）が具体的に含まれていてもよい。続いて、ユーザ端末２０の通知部２０２は、ユーザの属性情報をＩｏＴ装置１０に通知する（Ｓ１０４）。なお、ユーザ端末２０が通知する属性情報は、ユーザの属性そのものを直接示す情報であってもよいし、ユーザの属性を間接的に示す情報やユーザの属性を推定可能な情報であってもよい。例えば、ユーザの顔の画像データやユーザの声のデータなど、ＩｏＴ装置１０側で画像解析又は音声分析を行うことでユーザの性別や年齢といったユーザの属性を推定可能な情報であってもよい。
【００４０】
続いて、所定の情報をユーザ端末２０の画面等から出力する場合、ＩｏＴ装置１０の情報出力部１０２は、ユーザの属性情報に基づく所定の情報をユーザ端末２０に通知する（Ｓ１０５）。続いて、ユーザ端末２０のＵＩ部２０３は、ＩｏＴ装置１０から通知された所定の情報をディスプレイ等に表示する（Ｓ１０６）。一方、所定の情報をＩｏＴ装置１０の画面等から出力する場合、ＩｏＴ装置１０の情報出力部１０２は、所定の情報を、ＵＩ部１０３を介して、ＩｏＴ装置１０が備えるディスプレイ等に表示する（Ｓ１０７）。
【００４１】
続いて、ユーザ端末２０の通知部２０２は、所定の情報を参照したユーザの反応をＩｏＴ装置１０に送信するようにしてもよい（Ｓ１０８）。また、ＩｏＴ装置１０の情報出力部１０２は、ユーザ端末２０を利用している特定のユーザが、所定の情報に対して示した反応を学習するようにしてもよい。例えば、ユーザから否定的な反応を受けた場合、ユーザの否定的な反応を学習することで、将来、同一のユーザから所定の情報として例えばレコメンド情報の出力を希望するとの依頼を受けた場合に、否定的な反応を受けたレコメンド情報以外のレコメンド情報を通知することが可能になる。なお、ステップＳ１０７の処理手順は省略されてもよい。
【００４２】
以上説明したステップＳ１０２〜ステップＳ１０８の処理手順において、ＩｏＴ装置１０の情報出力部１０２及びユーザ端末２０の通知部２０２は、自然言語によるテキストメッセージを用いて属性情報及び所定の情報の送受信を行うようにしてもよいし、メッセージの送受信に用いられる専用の通信プロトコルを用いて属性情報及び所定の情報の送受信を行うようにしてもよい。
【００４３】
（動作例）
続いて、本実施形態に係る情報提供システムが行う具体的な動作例を説明する。以下の動作例では、便宜上、ＩｏＴ装置１０及びユーザ端末２０の間で、自然言語によるテキストメッセージを用いて属性情報及び所定の情報の送受信が行われる前提で説明する。また、ＩｏＴ装置１０及びユーザ端末２０の間で通信を確立する手順については説明を省略する。
【００４４】
［動作例その１］
図５は、動作例その１を説明するための図である。動作例その１は、ユーザＡが自宅に設置されているテレビ（ＩｏＴ装置１０）に対してお勧めの映画に関する情報の出力を要求し、テレビの画面に、ユーザＡに対してお勧めの映画名が表示されるという状況を想定している。
【００４５】
まず、ユーザ端末２０の通知部２０２は、ユーザＡの指示に基づき、ユーザＡにお勧めの映画に関する情報の通知を要求することを示すメッセージをＩｏＴ装置１０に送信する（Ｓ２０１）。続いて、ＩｏＴ装置１０の情報出力部１０２は、ユーザＡの嗜好として、好みの映画のジャンルを問い合わせる（Ｓ２０２）。ユーザ端末２０の通知部２０２は、例えば、ユーザ端末２０に記憶されているユーザＡの行動スケジュール、Ｗｅｂサイトのアクセスログ、Ｗｅｂサイトの検索ログ、ＳＮＳにおける書き込み等を参照することで、ユーザＡの好みの映画のジャンルが「アクション映画」であることを取得し、ユーザのＡは「アクション映画」が好みであることを示すメッセージをＩｏＴ装置１０に送信する（Ｓ２０３）。
【００４６】
続いて、ＩｏＴ装置１０の情報出力部１０２は、ユーザＡの使用言語及びタイムゾーンを問い合わせる（Ｓ２０４）。ユーザ端末２０の通知部２０２は、例えば、ユーザ端末２０のＯＳ等における言語設定及び時刻設定を参照することで、ユーザＡの使用言語及びユーザ端末２０に設定されているタイムゾーンを取得してＩｏＴ装置１０に通知する（Ｓ２０５）。
【００４７】
続いて、ＩｏＴ装置１０の情報出力部１０２は、通知されたユーザＡの使用言語及びタイムゾーンに基づいてユーザＡの出身国を推定し、推定した出身国におけるアクション映画のランキングのうち、最もランキングの高い映画「映画Ａ」をお勧めする（レコメンドする）ことを示すメッセージをユーザ端末２０に通知する（Ｓ２０６）。
【００４８】
続いて、ＩｏＴ装置１０のＵＩ部１０３は、ＩｏＴ装置１０のディスプレイに「映画Ａがお勧め」とのメッセージを表示する（Ｓ２０７）。
【００４９】
以上説明した動作例によれば、ユーザ端末２０とＩｏＴ装置１０とが連携することで、ユーザＡの嗜好に基づいてパーソナライズされたお勧め映画に関する情報が提供されることになる。
【００５０】
［動作例その２］
図６は、動作例その２を説明するための図である。動作例その２は、ユーザＡが水族館の水槽の周辺に設置されている解説装置（ＩｏＴ装置１０）に対して、水槽内の魚についての解説を要求し、解説装置の画面に魚の解説が表示されるという状況を想定している。
【００５１】
まず、ユーザ端末２０の通知部２０２は、ユーザＡの指示に基づき、水槽内の魚について解説を要求することを示すメッセージをＩｏＴ装置１０に送信する（Ｓ３０１）。続いて、ＩｏＴ装置１０の情報出力部１０２は、ユーザＡの行動を示す属性として、ユーザがどの水槽を見ているのかを示す情報を要求するメッセージをユーザ端末２０に送信する（Ｓ３０２）。ユーザ端末２０の通知部２０２は、例えば、ユーザ端末２０に接続されたメガネ型のウェアラブルデバイスが備えるカメラの映像を、ユーザが見ている水槽を示す情報としてＩｏＴ装置１０に送信する（Ｓ３０３）。ＩｏＴ装置１０の情報出力部１０２は、受信した映像を画像解析することで、ユーザＡが見ている水槽を一意に特定する。ここでは、魚Ａ及び魚Ｂが泳いでいる水槽Ｘが特定されたと仮定する。
【００５２】
続いて、ＩｏＴ装置１０の情報出力部１０２は、ユーザＡの家族関係を示す属性として、「ユーザＡ及びユーザＡと一緒にいる人のうち最も低い年齢の人の年齢」を要求することを示すメッセージをユーザ端末２０に送信する（Ｓ３０４）。ユーザ端末２０の通知部２０２は、例えば、ユーザ端末２０に記憶されているユーザＡの行動スケジュールや、家族構成が記録されている電話帳等を参照することで、ユーザＡが子供と一緒に水族館に来ていること、及び、子供の年齢は５歳であることを取得し、「ユーザＡ及びユーザＡと一緒にいる人のうち最も低い年齢の人の年齢」は５歳であることを示すメッセージをＩｏＴ装置１０に送信する（Ｓ３０５）。
【００５３】
続いて、ＩｏＴ装置１０のＵＩ部１０３は、水槽Ｘにいる魚Ａ及び魚Ｂに関する解説を、５歳の子供が容易に読めるような平易な文字（例えば平仮名）を用いて、ＩｏＴ装置１０が備えるディスプレイに表示する（Ｓ３０６）。
【００５４】
以上説明した動作例によれば、ユーザ端末２０とＩｏＴ装置１０とが連携することで、魚に関する解説が単純に表示されるのではなく、ユーザＡにパーソナライズされつつ、ユーザＡのＴＰＯに応じた情報が表示されることになる。
【００５５】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【００５６】
なお、本実施形態において、「部」とは、単に物理的手段を意味するものではなく、その「部」が有する機能をソフトウェアによって実現する場合も含む。また、１つの「部」や装置が有する機能が２つ以上の物理的手段や装置により実現されても、２つ以上の「部」や装置の機能が１つの物理的手段や装置により実現されても良い。
【符号の説明】
【００５７】
１０…ＩｏＴ装置、２０…ユーザ端末、１０１…通信部、１０２…情報出力部、１０３…ＵＩ部、２０１…通信部、２０２…通知部、２０３…ＵＩ部、１０２１…自然言語処理部、２０２１…属性情報取得部、２０２２…自然言語処理部
【図１】
2018169930.tif 000003
【図２】
2018169930.tif 000004
【図３】
2018169930.tif 000005
【図４】
2018169930.tif 000006
【図５】
2018169930.tif 000007
【図６】
2018169930.tif 000008